(57)【要約】【課題】市販のトルクリミッタを用いず、構造簡易な電線上の吊下物回収用制動機を提供する。【解決手段】制動機は、基板１に軸支された溝付ローラ４，５、回転軸６に固着され制動位置と非制動位置の間を回転する操作レバー７と、回転軸６に基端が固着されたアーム９と、これに一端が固定された支持軸１３と、この支持軸１３上に回転抵抗を調整可能に軸支された制動ローラ１４とを有する。制動ローラ１４は、操作レバー７が制動位置にあるときに溝付ローラ４，５に対向して電線Ｗを挟持する。引きばね１９は、操作レバー７が非制動位置から制動位置へ回転する途上で死点を越えて操作レバー７を制動位置へ回転付勢し、制動ローラ１４を溝付ローラ５に接近するよう付勢する。制動ローラ１４は、ゴム被覆材１５付きの円柱状金属材で、両側面をベークライト製の摩擦板１６で挟まれ、支持軸１３にばね座金１７を介して螺合されるロックナット１８で締め付けられる。【選択図】図２
2013211992.tif 000002
【特許請求の範囲】
【請求項１】
基板の上部に軸支された前後一対の溝付ローラと、基板の下部に回転自在に支持された回転軸と、この回転軸の一端側に固着され制動位置と解放位置の間を回転軸と一体に回転する操作レバーと、この操作レバーと前記基板を隔てて反対側において前記回転軸の他端側に基端が固着されたアームと、このアームの先端側に一端が固定された支持軸と、この支持軸上に回転抵抗を調整可能に軸支され前記操作レバーが制動位置にあるときに前記溝付ローラの下方に対向して電線を挟持するように配置された制動ローラと、一端が前記基板の上部に係止され他端が前記操作レバーの中間位置に係止され操作レバーが解放位置から制動位置へ回転する途上で死点を越えて制動位置へ回転付勢することにより前記制動ローラを前記溝付ローラに接近する方向に付勢する引きばねとを具備し、
前記制動ローラは、外周をゴム被覆材で被覆された円柱状金属材からなり、前記支持軸上に両側面をベークライト製の摩擦板に挟まれて配置され、支持軸の他端側にばね座金を介して螺合されるロックナットで締め付けられることを特徴とする電線上の連結ロープと吊り金車等の吊下物の回収用制動機。
【請求項２】
前記制動ローラの回転抵抗が、前記ロックナットの螺合位置により調整可能であることを特徴とする請求項１に記載の電線上の連結ロープと吊り金車等の吊下物の回収用制動機。
【発明の詳細な説明】
【技術分野】
【０００１】
本発明は、電線の張り替え作業に使用した連結ロープと吊り金車等の吊下物を回収する際に用いられる制動機に関する。
【背景技術】
【０００２】
従来、既設電線（旧線）を新たな電線（新線）に張り替えるための工法の一つとして、反転吊金車工法が知られている。この工法は、公知の反転吊金車を利用するものであり、連結ロープで連結された複数の反転吊金車の下部フレームに引きロープを通すと共に、上部フレームのローラを旧線上に載せ、自走機等で連結ロープを引いて旧線下に所定間隔をおいて複数の反転吊金車を展開する。その後、引きロープの一端に新線をつないで他端を引き、新線を下部フレームに通して旧線に沿って引き出す。鉄塔間に新線が配設されると、その新線に張力を加えると共に、旧線の張力を緩め、反転吊金車を上下反転させる。そして新線を固定すると共に、旧線を引き抜くことで張替作業が終了する。終了後、連結ロープで連結された複数の反転吊金車を新線上から回収する際に、連結ロープの最後部に本発明に係る制動機が連結される。反転吊金車が過剰な速度で走行することによる相互の衝突や脱線を防ぐためである。
従来の制動機として、特許文献１に記載されたものが知られている。この制動機は、電線を上下に挟むローラをばねにより付勢して、電線を適当な圧力をもって挟持する。一方のローラの回転に摩擦制動部材で抵抗を付与することで、電線上での走行に制動をかけるものである。この摩擦制動部材としては、市販のトルクリミッタが用いられる。
【先行技術文献】
【特許文献】
【０００３】
【特許文献１】実公平３−６０８８号公報
【発明の概要】
【発明が解決しようとする課題】
【０００４】
上記従来の制動機においては、市販のトルクリミッタが比較的高価であるし、これを組み込むためにローラの構造が複雑となり、コスト高になる難点がある。
したがって、本発明は、市販のトルクリミッタを用いずに、構造を簡略化して安価に得られる電線上の吊下物回収用制動機を提供することを目的としている。
【課題を解決するための手段】
【０００５】
以下、添付図面の符号を参照して説明するが、本発明はこれに限定されるものではない。
上記課題を解決するための、本発明の制動機は、基板１の上部に軸支された前後一対の溝付ローラ４，５と、基板１の下部に回転自在に支持された回転軸６と、この回転軸６の一端側に固着され制動位置と非制動位置の間を回転軸６と一体に回転する操作レバー７と、この操作レバー７と基板１を隔てて反対側において回転軸６の他端側に基端が固着されたアーム９と、このアーム９の先端側に一端が固定された支持軸１３と、この支持軸１３上に回転抵抗を調整可能に軸支され操作レバー７が制動位置にあるときに溝付ローラ４，５の下方に対向して電線Ｗを挟持するように配置された制動ローラ１４と、一端が基板１の上部に係止され他端が操作レバー７の中間位置に係止され、操作レバー７が非制動位置から制動位置へ回転する途上で死点を越えて操作レバー７を制動位置へ回転付勢することにより制動ローラ１４を溝付ローラ５に接近する方向に付勢する引きばね１９とを具備する。制動ローラ１４は、外周をゴム被覆材１５で被覆された円柱状金属材からなり、支持軸１３上に、両側面をベークライト製の摩擦板１６に挟まれて配置され、支持軸１３の他端側にばね座金１７を介して螺合されるロックナット１８で締め付けられる。
【発明の効果】
【０００６】
本発明の装置によれば、トルクリミッタを用いずに、構造の簡単な制動ローラ、制動板、ばね座金、ロックナットを用いて比較的安価に電線上の吊下物回収用制動機を提供できる。
【図面の簡単な説明】
【０００７】
【図１】本発明に係る制動機の制動状態の正面図である。
【図２】図１の制動機の右側面図である。
【図３】図１の制動機の非制動状態の右側面図である。
【図４】図１の制動機の左側面図である。
【図５】図１の制動機の一部の拡大断面図である。
【発明を実施するための形態】
【０００８】
図面を参照して本発明の実施の形態を説明する。
ほぼＬ状の基板１の上部、前後には、軸２，３によりそれぞれ溝付ローラ４，５が軸支される。基板１の下部には、軸２，３と平行に回転軸６が回転自在に軸承され、それの一端側に操作レバー７の基端が固着される。操作レバー７は、先端部に、回転操作用のハンドル８を具備する。
【０００９】
回転軸６の、基板１を隔てた他端側には、アーム９の基端が固着される。したがって、操作レバー７とアーム９とは、回転軸６を中心に一体回転する。
【００１０】
回転軸６の他端側には、アームの外側に位置して、基板１とほぼ同形の開閉板１０の下部が枢支される。この開閉板１０は、上部の前後端部に、軸２，３に係合する切欠１０ａ、１０ｂを有し、この切欠１０ａ、１０ｂを軸２，３に係合させて、蝶ナット１１，１２で締め付けることにより、基板１に対して平行に固定される。
【００１１】
アーム９の先端側には、回転軸６と平行に支持軸１３の基端側が固着され、この支持軸１３上に制動ローラ１４が回転自在に支持される。
【００１２】
制動ローラ１４は、外周をゴム被覆材１５で被覆された円柱状アルミ材からなり、支持軸１３が相対回転自在に貫通している。制動ローラ１４は、支持軸１３上に、両側面をベークライト製の摩擦板１６に挟まれて配置され、支持軸１３の他端側に、ばね座金１７を介して螺合されるロックナット１８で摩擦板１６間に締め付けられる。したがって、制動ローラ１４は、支持軸１３上の回転を摩擦板１６との摩擦により制動され、その制動力は、ロックナット１８の螺合位置により調整される。
【００１３】
引きばね１９は、一端が軸２の基板１から突出した端部に、他端が操作レバー７の中間部のピン２０にそれぞれ係止される。ばね１９は、図３に示すように、操作レバー７が非制動位置にあり、制動ローラ１４が溝付ローラ５から離れている状態から、操作レバー７を反時計方向へ回転させて図２に示す制動位置へ来るまでに死点を越え、図２の状態で制動ローラ１４を上向きに付勢し、これを電線Ｗへ圧接させる。
【００１４】
図示しない複数の反転吊金車間を連結する連結ロープＲの端部は、軸６上の引き手２１に連結される。反転吊金車連は、連結ロープＲに引かれて制動機と共に図２において左方へ移動する。
【００１５】
この制動機を電線Ｗへ装着する場合には、蝶ナット１１，１２を緩め、切欠１０ａ、１０ｂを軸２，３から外して、開閉板１０を軸６を中心に図４において仮想線の位置まで時計方向に回転させ、溝付ローラ４，５を電線Ｗ上に載せる。再び開閉板１０を閉じて、蝶ナット１１，１２を締め、ハンドル８を握って操作レバー７を軸６を中心に図３において反時計方向へ回転させ、図２の位置まで持ち来す。この位置で、レバー７は、ばね１９によりアーム９と共に反時計方向へ回転付勢され、制動ローラ１４が電線Ｗの下面に圧接される。この状態で制動機が図２において左方へ引かれると、制動ローラ１４は電線Ｗとの摩擦で転動するが、摩擦板１６との摩擦抵抗により制動され、所定の走行速度が維持される。
【符号の説明】
【００１６】
１    基板
２    軸
３    軸
４    溝付ローラ
５    溝付ローラ
６    回転軸
７    操作レバー
８    ハンドル
９    アーム
１０  開閉板
１０ａ  切欠
１０ｂ  切欠
１１  蝶ナット
１２  蝶ナット
１３  支持軸
１４  制動ローラ
１５  ゴム被覆
１６  摩擦板
１７  ばね座金
１８  ロックナット
１９  ばね
２０  ピン
２１  引き手
Ｒ    連結ロープ
Ｗ    電線
【図１】
2013211992.tif 000003
【図２】
2013211992.tif 000004
【図３】
2013211992.tif 000005
【図４】
2013211992.tif 000006
【図５】
2013211992.tif 000007